(57)【要約】【課題】外観からはキャップ機能が装備されていることが認識されにくく、ボトル非装着時には、小型の玩具人形として違和感なく使用することができる一方、ボトル装着時には、キャップ部分にすっぽりと被せることができ、装着後の取扱性にも優れ、飲料ボトルを持ち運ぶ際の楽しみを増すことのできるボトル装飾体を提供すること。【解決手段】キャップ付きボトルに着脱可能なボトル装飾体１０であって、外形が物の姿や形を象った象形物の一部分、又は全体を表すとともに、ボトルのキャップ部分をすっぽりと覆う形状に形成された被覆装飾部１１と、被覆装飾部１１の内部に配設され、ボトルのキャップに嵌合可能なキャップ形状をした嵌合部１２とを備えている。【選択図】図３
0003162073.tif 000002
【実用新案登録請求の範囲】
【請求項１】
キャップ付きボトルに着脱可能なボトル装飾体であって、
外形が物の姿や形を象った象形物の一部分、又は全体を表すとともに、前記ボトルのキャップ部分をすっぽりと覆う形状に形成された被覆装飾部と、
該被覆装飾部の内部に配設され、前記ボトルのキャップに圧着状態で嵌合可能なキャップ形状をした嵌合部とを備えていることを特徴とするボトル装飾体。
【請求項２】
前記被覆装飾部と前記嵌合部とが別々の部材で構成され、
前記嵌合部が、前記被覆装飾部の内部で固着されていることを特徴とする請求項１記載のボトル装飾体。
【請求項３】
前記被覆装飾部と前記嵌合部とが同一材料で一体形成されているものであることを特徴とする請求項１記載のボトル装飾体。
【請求項４】
前記嵌合部が、
前記ボトルのキャップに嵌合された場合に、前記キャップの外周側面に形成された溝部にくい込むように変形する樹脂材料で形成されていることを特徴とする請求項１〜３のいずれかの項に記載のボトル装飾体。
【考案の詳細な説明】
【技術分野】
【０００１】
本考案はボトル装飾体に関し、より詳細にはボトルのキャップに着脱可能なボトル装飾体に関する。
【背景技術】
【０００２】
従来から、キャップ体の上部に人形などの飾りものが固着された飾りキャップが提案されており（例えば、下記の特許文献１〜３を参照）、これらの飾りキャップをペットボトルのキャップに被せることにより、自己のペットボトルと、他人のペットボトルとの見分けが容易に行えるようになることが開示されている。
また、キャップ体の上部に種々のキャラクターのミニチュア人形等が取り付けられた飾りキャップ（玩具としてのボトルキャップ）なども知られている。
【０００３】
しかしながら、このような従来の飾りキャップは、キャップ体の上部に人形等が取り付けられているので、外観上、キャップ体の部分が目立ち、キャップ体上部に取り付けられた人形等はおまけ的な飾りとして捉えられる傾向が強く、商品価値を高めることが難しいという課題があった。
【先行技術文献】
【特許文献】
【０００４】
【特許文献１】実用新案登録第３０６６７０９号公報
【特許文献２】実用新案登録第３０５７０８２号公報
【特許文献３】特開２００１−２５３４６１号公報
【考案の概要】
【課題を解決するための手段及びその効果】
【０００５】
本考案は上記課題に鑑みなされたものであって、外観からはキャップ機能が装備されていることが認識されにくく、ボトル非装着時には、小型の玩具人形等として違和感なく使用することができる一方、ボトル装着時には、キャップ部分にすっぽりと被せることができ、装着後の取扱性にも優れ、飲料ボトルを持ち運ぶ際の楽しみを増すことのできるボトル装飾体を提供することを目的としている。
【０００６】
上記目的を達成するために本考案に係るボトル装飾体（１）は、キャップ付きボトルに着脱可能なボトル装飾体であって、外形が物の姿や形を象った象形物の一部分、又は全体を表すとともに、前記ボトルのキャップ部分をすっぽりと覆う形状に形成された被覆装飾部と、該被覆装飾部の内部に配設され、前記ボトルのキャップに圧着状態で嵌合可能なキャップ形状をした嵌合部とを備えていることを特徴としている。
【０００７】
上記ボトル装飾体（１）によれば、外形を形成する前記被覆装飾部が、前記象形物の一部分、又は全体を表すとともに、前記ボトルのキャップ部分をすっぽりと覆う形状に形成され、前記被覆装飾部の内部に、前記ボトルのキャップに圧着状態で嵌合可能なキャップ形状をした嵌合部が配設されている。
したがって、外観からは、前記キャップ形状をした嵌合部が、前記被覆装飾部の内部に配設されていることが認識されにくく、ボトル非装着時には、小型の玩具人形等として違和感なく使用することができる。
一方、ボトル装着時には、前記嵌合部を前記キャップに嵌合させることにより、前記被覆装飾部を前記ボトルのキャップ部分にすっぽりと圧着状態で被せることができ、装着状態のままで前記キャップの開け閉めも可能となり、取扱性にも優れ、また、前記被覆装飾部により独特な外観を呈するものとなり、飲料ボトルを持ち運ぶ際の楽しみを増すことができ、ボトル装飾体としての商品価値を高めることができる。
【０００８】
また本考案に係るボトル装飾体（２）は、上記ボトル装飾体（１）において、前記被覆装飾部と前記嵌合部とが別々の部材で構成され、前記嵌合部が、前記被覆装飾部の内部で固着されていることを特徴としている。
上記ボトル装飾体（２）によれば、前記被覆装飾部と前記嵌合部とが別々の部材で構成され、前記嵌合部が、前記被覆装飾部の内部で固着されているので、前記被覆装飾部を形成する材質を、前記象形物の形状等に応じて種々選択することができ、ボトル装飾体のバリエーションを増やすことができる。
【０００９】
また本考案に係るボトル装飾体（３）は、上記ボトル装飾体（１）において、前記被覆装飾部と前記嵌合部とが同一材料で一体形成されているものであることを特徴としている。
上記ボトル装飾体（３）によれば、前記被覆装飾部と前記嵌合部とが同一材料、例えば、ポリ塩化ビニール、ソフトビニール等の柔軟性を持たせることができる樹脂材料で一体形成されているので、上記ボトル装飾体（２）と比較して、前記被覆装飾部の外形の大きさを少し小さくすることができ、また製作コストを抑えることができる。
【００１０】
また本考案に係るボトル装飾体（４）は、上記ボトル装飾体（１）〜（３）のいずれかにおいて、前記嵌合部が、前記ボトルのキャップに嵌合された場合に、前記キャップの外周側面に形成された溝部にくい込むように変形する樹脂材料で形成されていることを特徴としている。
上記ボトル装飾体（４）によれば、前記嵌合部が、前記ボトルのキャップに嵌合された場合に、前記キャップの外周側面に形成された溝部にくい込むように変形する樹脂材料で形成されているので、前記ボトルのキャップにしっかりと圧着させた状態で嵌合させることができ、装着状態での取扱性を高めることができる。
【図面の簡単な説明】
【００１１】
【図１】本考案の実施の形態に係るボトル装飾体の全体斜視図である。
【図２】実施の形態に係るボトル装飾体が装着されたボトルの全体斜視図である。
【図３】実施の形態に係るボトル装飾体が装着されたボトルのボトル装飾体部分の側面断面図である。
【考案を実施するための形態】
【００１２】
以下、本考案に係るボトル装飾体の実施の形態を図面に基づいて説明する。図１は、実施の形態に係るボトル装飾体の全体斜視図である。図２は、実施の形態に係るボトル装飾体が装着されたボトルの全体斜視図であり、図３は、実施の形態に係るボトル装飾体が装着されたボトルのボトル装飾体部分の側面断面図である。
【００１３】
図中１０は、ボトル装飾体を、図中２０は、キャップ付きペットボトル（以下、ボトルと記す）を示している。
ボトル２０に着脱可能なボトル装飾体１０は、外形が動物の形を象った象形物の全体形状を表しているとともに、ボトル２０のキャップ２１部分をすっぽりと覆う形状に形成された被覆装飾部１１と、被覆装飾部１１の内部に配設され、ボトル２０のキャップ２１に圧着状態で嵌合可能な（すなわち、キャップ２１の外径と略同径か若干小さな内径を有する）キャップ形状をした嵌合部１２（図３参照）とで構成されている。
【００１４】
被覆装飾部１１と嵌合部１２とは別々の部材、例えば、被覆装飾部１１は、硬質のプラスチック、嵌合部１２は、柔軟性を有するポリ塩化ビニール（ＰＶＣ）等で構成されており、キャップ形状をした嵌合部１２の上面が、被覆装飾部１１の内部に形成された取付部１１ａに固着されている。なお、取付部１１ａは、図３に記載した形態（設置位置、形状等）に限定されるものではなく、嵌合部１２の側壁面、及び／又は上面を支持して固定できる種々の形態、形状のものが適用可能であり、被覆装飾部１１の外形等も考慮して形成されるようになっている。また、被覆装飾部１１の取付部１１ａと嵌合部１２との固着方法は、確実に固定できる方法であればよく、接着、鋲着等、特に限定されない。
【００１５】
また、嵌合部１２は、ボトル２０のキャップ２１に嵌合された場合に、キャップ２１の外周側面に形成された溝部２１ａにくい込むように変形する樹脂材料（ポリ塩化ビニール、ソフトビニール等）で形成されている。なお、嵌合部１２の内壁面に、滑り止め加工が施されたものを使用したり、滑り止め特性を有する材質を用いて嵌合部１２を形成することにより、嵌合時の圧着状態をより高めることも可能となっている。また、嵌合部１２の内壁面に、キャップ２１の外周側面に形成された溝部２１ａと係合させるための溝部を形成しておいてもよい。
【００１６】
上記実施の形態に係るボトル装飾体１０によれば、外形を形成する被覆装飾部１１が、象形物（動物）の全体形状を表すとともに、ボトル２０のキャップ２１部分をすっぽりと覆う形状に形成され、被覆装飾部１１の内部に、ボトル２０のキャップ２１に圧着状態で嵌合可能なキャップ形状をした嵌合部１２が配設されている。
【００１７】
したがって、外観からは、キャップ形状をした嵌合部１２が、被覆装飾部１１の内部に配設されていることが認識されにくく、ボトル非装着時には、小型の玩具人形等として違和感なく使用することができる。
【００１８】
一方、ボトル装着時には、嵌合部１２をキャップ２１に嵌合させることにより、被覆装飾部１１をボトル２０のキャップ２１部分にすっぽりと圧着状態で被せることができ、装着状態のままでのキャップ２１の開け閉めも可能となり、指先等でしっかりと掴みやすく、取扱性にも優れ、また、被覆装飾部１１により独特な外観を呈するものとなり、飲料ボトルを持ち運ぶ際の楽しみを増すことができ、ボトル装飾体としての商品価値を高めることができる。
【００１９】
また、嵌合部１２が、ボトル２０のキャップ２１に嵌合された場合に、キャップ２１の外周側面に形成された溝部２１ａにくい込むように変形する樹脂材料で形成されているので、ボトル２０のキャップ２１にしっかりと圧着させた状態で嵌合させることができ、装着状態での取扱性を高めることができる。
【００２０】
また、被覆装飾部１１と嵌合部１２とが別々の部材で構成され、嵌合部１２が、被覆装飾部１１の内部で固着されているので、被覆装飾部１１を形成する材質を、象形物の形状等に応じて種々選択することができ、ボトル装飾体のバリエーションを増やすことができる。
【００２１】
なお、上記実施の形態では、被覆装飾部１１と嵌合部１２とが別々の部材で構成され、嵌合部１２が、被覆装飾部１１の内部で取付部１１ａに固着されている場合について説明したが、別の実施の形態では、被覆装飾部１１と嵌合部１２とが同一材料で一体形成されているものとすることもできる。
【００２２】
例えば、ポリ塩化ビニール、ソフトビニール等の柔軟性を持たせることができる樹脂材料で、被覆装飾部１１と嵌合部１２とを一体形成すれば、上記ボトル装飾体１０と比較して、被覆装飾部１１の外形の大きさを少し小さくすることができ、また製作コストを抑えることができる。なお、前記樹脂材料としては、ボトル２０のキャップ２１に圧着状態で嵌合可能な嵌合部１２が形成され得る樹脂材料が適用できる。また、嵌合部１２の内壁面に滑り止め加工等を施したり、嵌合部１２の内壁面に、キャップ２１の外周側面に形成された溝部２１ａと係合させるための溝部を形成しておいてもよい。
【００２３】
また、上記実施の形態では、ボトル装飾体１０の外形を、動物の頭部、胴体部を含む全体形状とした場合について説明したが、ボトル装飾体１０の外形は、動物、昆虫などの生き物の全体形状に限らず、例えば、各種の人形やキャラクターなどの姿や形を象った象形物の頭部形状、又は全体形状とすることができる。さらには、ボトル装飾体１０の外形を、例えば、野菜などの食べ物や乗り物などの姿や形を象った象形物の一部分、又は全体形状とすることもできる。
【００２４】
また、ボトル装飾体１０の外形をキャラクター人形などの各種象形物の頭部形状とした場合には、例えば、ペットボトル２０に、例えば、前記象形物の頭部形状に対応する胴体部分に模した形状のものを使用し、ボトル外周面に、ボトル装飾体１０の頭部形状に対応する胴体を含む部分の絵柄を描いた包装ラベル（外装フィルム）を巻着することにより、ボトル飲料の商品価値も高めることができる。
【００２５】
さらには、ボトル装飾体の外形をキャラクターなどの全体形状とした場合には、ボトル外周面に、前記キャラクターが登場するアニメーションなどの絵柄を描く、例えば、前記絵柄が描かれた包装ラベル（外装フィルム）を巻着する構成としてもよく、係る構成によっても、ボトル装飾体との一体感、及び装飾性を高めることができ、ボトル飲料の商品価値を高めることができる。
なお、本発明に係るボトル装飾体は、ボトル装飾体、単体で販売等、市場に流通させるだけでなく、ボトルとセットの形、すなわち飲料ボトルとして流通させてもよい。
【符号の説明】
【００２６】
１０  ボトル装飾体
１１  被覆装飾部
１２  嵌合部
２０  ペットボトル
２１  キャップ
【図１】
0003162073.tif 000003
【図２】
0003162073.tif 000004
【図３】
0003162073.tif 000005